(57)【要約】【課題】部品毎の適切なメンテナンスができ、機器の寿命がきたときに異常発熱を起すリスクをなくした浴室換気乾燥機を提供することを目的としている。【解決手段】加熱装置１、循環用送風機２、換気用送風機４、ダンパー駆動用モーター８の運転制御と、商用電源の入力を検知する検知手段１４と、浴室換気乾燥機６Ａの運転を遠隔操作する遠隔操作手段９Ａからの信号を受けるマイクロコンピューター１０Ａを搭載した制御装置１１Ａが備えられ、制御装置１１Ａ内には電気的に情報を記憶可能なで取り外し可能な記憶装置１２を装着する記憶装置装着部１３Ａがマイクロコンピューター１０Ａと電気的に接続され、検知手段１４で検知した電源通電時間の積算、および各アクチュエーターの動作積算時間を記憶装置１２に記憶し、制御装置交換時にも記憶装置１２の記憶情報の引き継ぎができる浴室換気乾燥機を提供できる。【選択図】図２
2010223529.tif 000002
【特許請求の範囲】
【請求項１】
電気的に情報を記憶可能で取り外し可能な情報記憶装置を搭載した制御装置を搭載したことを特徴とする浴室換気乾燥機。
【請求項２】
機械的あるいは電気的に寿命を有する部品の運転積算時間を記憶することを特徴とする請求項１記載の浴室換気乾燥機。
【請求項３】
制御装置のサービス、メンテナンス時に交換前の制御装置に搭載されている情報記憶装置を交換後の制御装置に取り付け可能にしたことを特徴とする請求項１記載の浴室換気乾燥機。
【請求項４】
情報記憶装置に記憶された運転積算情報を浴室換気乾燥機の遠隔操作手段にて表示できるようにしたこととを特徴とする請求項１記載の浴室換気乾燥機。
【請求項５】
機械的あるいは電気的に寿命を有する部品をサービス、メンテナンス時に交換した場合に、遠隔操作手段から各部品毎に情報記憶装置に記憶した積算情報を初期化するようにしたことを特徴とする請求項１記載の浴室換気乾燥機。
【請求項６】
浴室換気乾燥機の設定情報で使用者や、施工者が設定した情報を情報記憶装置に記憶できるようにしたことを特徴とする請求項１記載の浴室換気乾燥機。
【請求項７】
浴室換気乾燥機本体の各種情報を記憶する情報記憶装置を遠隔操作手段の制御装置に搭載したことを特徴とする請求項１から５記載の浴室換気乾燥機。
【発明の詳細な説明】
【技術分野】
【０００１】
本発明は、家庭用浴室内に設置され、長期間使用時に機器のアクチュエーターや制御装置に不安全箇所がないか点検を必要とする浴室換気乾燥機の情報記憶システムに関する。
【背景技術】
【０００２】
近年、一般家庭において浴室の換気装置の設置が多くなるに伴い、浴室を利用して洗濯物を乾燥させる乾燥機能を有した浴室換気乾燥機が普及してきている。また、建築基準法が改正され新築住宅にあっては常時換気の機能を有する換気装置の設置が義務付けられ、ますます浴室換気乾燥機の普及が拡大してきている。浴室乾燥機は、設備商品としての傾向が強く、浴室を新規にする時に一緒に交換するケースが非常に多い。そのため、一旦設置されると、浴室が壊れる、もしくは汚れが著しくなる２０〜３０年近く使用、設置されることが多い。
【０００３】
従来の浴室換気乾燥機の一例として、図４に示すものが知られている（例えば、特許文献１参照）。
【０００４】
以下、その構成について図４を参照しながら説明する。
【０００５】
図４に示すように、浴室の天井に設置された本体１０１に浴室内の空気を換気する換気手段１０２と、浴室内の空気を循環させる循環手段１０３と、循環手段１０３により生成される循環空気を加熱する加熱手段１０４が設けられており、換気手段１０２は、本体１０１を構成するハウジング下部に開港した吸気口１０５と、吸気口１０５より浴室の空気を吸引する換気ファン１０６と、換気ファン１０６の駆動源である換気用モーター１０７と、本体１０１内に設けた隔壁によって構成した換気風路１０８とから構成され、換気風路１０８の出口は屋外に開口した図示しないダクトに接続される排気口１０９となっている。
【０００６】
また、循環手段１０３は換気手段１０２と同様に本体１０１を構成するハウジングの下部に開口した吸気口１０５と、吸気口１０５から吸気した浴室の空気をハウジングの下部に開口している吐出口１１０から吐出することを繰り返すことによって浴室内の空気を循環させる循環ファン１１１と、循環ファン１１１の駆動源である循環用モーター１１２と、本体１０１内に設けた隔壁によって構成した循環風路１１３と、循環風路１１３の出口を構成する吐出口１１０とを備えている。
【０００７】
また、加熱手段１０４は、循環風路１１３中に設けた３個のヒーター１１４ａ、１１４ｂ、１１４ｃを備えており、換気用モーター１０７の駆動、すなわち換気ファン１０６の作動、循環用モーター１１２の駆動、すなわち循環ファン１１１の動作、ヒーター１１４ａ、１１４ｂ、１１４ｃの動作を各々選択的に操作し、浴室内の暖房、換気等を行うものである。
【特許文献１】特開２００４−９３００８号公報
【発明の開示】
【発明が解決しようとする課題】
【０００８】
浴室換気乾燥機は、浴室内に設置されるために、高湿度の空気にさらされる時間が非常に長く、さらに加熱装置を搭載しているため大電流が流れており、部品自体も高温下にさらされるため劣化しやすくなる。そして、特許文献１に記載の浴室換気乾燥機の構成からもわかるように多くの部品が使用され、これらの使用部品も長期間使用されると経年劣化をし、しかも、高湿度空間で使用され、かつ大電流使用機器のため、異常発熱を起こす恐れがあるという課題がある。
【０００９】
本発明は、このような従来の課題を解決するものであり、異常発熱を起すリスクをなくした浴室換気乾燥機を提供することを目的としている。
【課題を解決するための手段】
【００１０】
本発明の情報記憶システムは、上記目的を達成するために、電気的に情報を記憶可能で取り外し可能な情報記憶装置を搭載した制御装置を搭載したことを特徴としたものである。
【００１１】
この手段により、情報を記憶した情報記憶装置を必要に応じて取り外して、メンテ交換後制御装置に載せ換えることができる浴室換気乾燥機が得られる。
【００１２】
また、他の手段は、機械的あるいは電気的に寿命を有する部品の運転積算時間を記憶することを特徴としたものである。
【００１３】
この手段により、部品毎の運転積算時間が引継げる浴室換気乾燥機が得られる。
【００１４】
また、他の手段は、制御装置のサービス、メンテナンス時に交換前の制御装置に搭載されている情報記憶装置を交換後の制御装置に取り付け可能にしたことを特徴としたものである。
【００１５】
この手段により、制御装置を交換しても情報記憶装置に記憶した情報を引き継げる浴室換気乾燥機が得られる。
【００１６】
また、他の手段は、情報記憶装置に記憶された運転積算情報を浴室換気乾燥機の遠隔操作手段にて表示できるようにしたこととを特徴としたものである。
【００１７】
この手段により、遠隔操作手段に情報記憶装置に記憶された情報を表示できる浴室換気乾燥機が得られる。
【００１８】
また、他の手段は、機械的あるいは電気的に寿命を有する部品をサービス、メンテナンス時に交換した場合に、遠隔操作手段から各部品毎に情報記憶装置に記憶した積算情報を初期化するようにしたことを特徴としたものである。
【００１９】
この手段により、サービス、メンテナンス時に交換した部品の積算情報を初期化できる浴室換気乾燥機が得られる。
【００２０】
また、他の手段は、浴室換気乾燥機の設定情報で使用者や、施工者が設定した情報を情報記憶装置に記憶できるようにしたことを特徴としたものである。
【００２１】
この手段により、積算情報以外の浴室換気乾燥機の各種設定情報を記憶できる浴室換気乾燥機が得られる。
【００２２】
また、他の手段は、浴室換気乾燥機本体の各種情報を記憶する情報記憶装置を遠隔操作手段の制御装置に搭載したことを特徴としたものである。
【００２３】
この手段により、情報記憶装置の取り外しが容易にできる浴室換気乾燥機が得られる。
【００２４】
そして、異常発熱を起すというリスクをなくした浴室換気乾燥機を提供するという所期の目的を達成することができる。
【発明の効果】
【００２５】
本発明によれば、電気的に情報を記憶可能で取り外し可能な情報記憶装置を搭載した制御装置を搭載し、情報を記憶した情報記憶装置を必要に応じて取り外し、メンテ交換後の制御装置に載せ換えて部品毎の適切なメンテナンスができる浴室換気乾燥機を提供できる。
【００２６】
また、機械的あるいは電気的に寿命を有する部品の運転積算時間を記憶し、部品毎の運転積算時間が引継げる浴室換気乾燥機を提供できる。
【００２７】
また、制御装置のサービス、メンテナンス時に交換前の制御装置に搭載されている情報記憶装置を交換後の制御装置に取り付け可能にし、制御装置を交換しても情報記憶装置に記憶した情報を引き継げる浴室換気乾燥機を提供できる。
【００２８】
また、情報記憶装置に記憶された運転積算情報を浴室換気乾燥機の遠隔操作手段にて表示できるようにし、遠隔操作手段に情報記憶装置に記憶された情報を表示できる浴室換気乾燥機を提供できる。
【００２９】
また、機械的あるいは電気的に寿命を有する部品をサービス、メンテナンス時に交換した場合に、遠隔操作手段から各部品毎に情報記憶装置に記憶した積算情報を初期化するようにし、サービス、メンテナンス時に交換した部品の積算情報を初期化できる浴室換気乾燥機を提供できる。
【００３０】
また、浴室換気乾燥機の設定情報で使用者や、施工者が設定した情報を情報記憶装置に記憶できるようにし、積算情報以外の浴室換気乾燥機の各種設定情報を記憶できる浴室換気乾燥機を提供できる。
【００３１】
また、浴室換気乾燥機本体の各種情報を記憶する情報記憶装置を遠隔操作手段の制御装置に搭載し、情報記憶装置の取り外しが容易にできる浴室換気乾燥機を提供できる。
【発明を実施するための最良の形態】
【００３２】
本発明の請求項１記載の発明は、電気的に情報を記憶可能で取り外し可能な情報記憶装置を搭載した制御装置を搭載したことを特徴としたものであり、情報を記憶した情報記憶装置を必要に応じて取り外し、メンテ交換後の制御装置に載せ変えるとうい作用を有する。
【００３３】
また、請求項２記載の発明は、機械的あるいは電気的に寿命を有する部品の運転積算時間を記憶することを特徴としたものであり、部品毎の運転積算時間が引継げるという作用を有する。
【００３４】
また、請求項３記載の発明は、制御装置のサービス、メンテナンス時に交換前の制御装置に搭載されている情報記憶装置を交換後の制御装置に取り付け可能にしたことを特徴としたものであり、制御装置を交換しても情報記憶装置に記憶した情報を引き継げるとうい作用を有する。
【００３５】
また、請求項４記載の発明は、情報記憶装置に記憶された運転積算情報を浴室換気乾燥機の遠隔操作手段にて表示できるようにしたこととを特徴としたものであり、遠隔操作手段に情報記憶装置に記憶された情報を表示できるという作用を有する。
【００３６】
また、請求項５記載の発明は、  機械的あるいは電気的に寿命を有する部品をサービス、メンテナンス時に交換した場合に、遠隔操作手段から各部品毎に情報記憶装置に記憶した積算情報を初期化するようにしたことを特徴としたものであり、サービス、メンテナンス時に交換した部品の積算情報を初期化できるという作用を有する。
【００３７】
また、請求項６記載の発明は、浴室換気乾燥機の設定情報で使用者や、施工者が設定した情報を情報記憶装置に記憶できるようにしたことを特徴としたものであり、積算情報以外の浴室換気乾燥機の各種設定情報を記憶できるとうい作用を有する。
【００３８】
また、請求項７記載の発明は、浴室換気乾燥機本体の各種情報を記憶する情報記憶装置を遠隔操作手段の制御装置に搭載したことを特徴としたものであり、情報記憶装置の取り外しが容易にできるとうい作用を有する。
【００３９】
以下、本発明の実施形態について図面を参照しながら説明する。
【００４０】
（実施の形態１）
図１に示すように、本発明の実施の形態１の浴室換気乾燥機は、浴室内の空気を吸込み、その浴室から吸い込んだ空気を加熱装置１に流し、加熱装置１で熱交換を行い加温した空気を再び浴室内に吹出す循環用送風機２と過熱装置を連結してなる循環風路３と、換気用送風機４により浴室内の空気を吸込み、その浴室から吸込んだ空気を屋外に排出する換気風路５とを浴室換気乾燥機６Ａ内に形成し、換気風路５における浴室からの通風をなくすために閉にしたり、浴室からの吸込み空気を多くするために開にしたりすることが可能なダンパー７を換気用送風機４の上流側に配置し、ダンパー７をダンパー駆動用モーター８を用いてその開度を調整することにより、換気用送風機４に吸込まれる屋外に排出する空気の量を調整している。
【００４１】
循環用送風機２と換気用送風機４は、交流電源を電源として利用する電動機や、直流電源を電源として利用する電動機があり、直流電源を利用する電動機には電動機内部に電動機の駆動を制御する制御装置を搭載したものがある。
【００４２】
また、加熱装置１は、輻射熱を放出するハロゲンヒーターや遠赤外線ヒーター、ＰＴＣヒーターなどの電気的なヒーターや、温水を利用する温水コイルがある。
【００４３】
また、ダンパー駆動用モーター８は任意の回転角度に移動、停止が可能なモーターであり、パルス駆動モーターなどがある。
【００４４】
また、図２に示すように、浴室換気乾燥機６Ａ内には、加熱装置１、循環用送風機２、換気用送風機４、ダンパー駆動用モーター８の運転制御と、浴室換気乾燥機６Ａの運転を遠隔操作する遠隔操作手段９Ａからの信号を受けるマイクロコンピューター１０Ａを搭載した制御装置１１Ａが備えられ、制御装置１１Ａには加熱装置１、循環用送風機２、換気用送風機４、ダンパー駆動用モーター８とが接続され、さらに制御装置１１Ａの動作用電源生成用として商用電源が入力されている。
【００４５】
また、制御装置１１Ａ内には電気的に情報を記憶可能な情報記憶装置としての記憶装置１２を装着する記憶装置装着部１３Ａと、商用電源の入力を検知する検知手段１４がマイクロコンピューター１０Ａと電気的に接続されている。
【００４６】
記憶装置１２は例えばＳＤカードや、コンパクトフラッユなどの電気的に情報を記憶または、消去可能なメモリーがある。
【００４７】
上記構成により、浴室換気乾燥機６Ａに商用電源が入力されると、検知手段１４が電源入力を検知し、その情報をマイクロコンピューター１０Ａに送り、マイクロコンピューター１０Ａは内部のタイマーを使用して商用電源が入力されている時間を積算していく。そして、積算時間が所定の時間、例えば１時間に達すると記憶装置装着部１３Ａに装着された記憶装置１２にこの積算時間を情報として記憶するように信号を送り、記憶装置１２はこの積算時間を加算してあらたな通電積算時間に更新記憶され、更に所定の時間が経過すると、マイクロコンピューター１０Ａからの信号で記憶装置１２に記憶された通電積算時間の情報を更新していくことになる。
【００４８】
また、浴室換気乾燥機６Ａの通電後、設置場所に応じた各種設定を遠隔操作手段９Ａを利用して行うが、設定した情報はマイクロコンピューター１０Ａからの信号で記憶装置１２に設定情報として記憶する。設置場所に応じた各種設定とは、浴室乾燥装置の使い勝手を使用環境に合わせて設定する設定内容であって、例えば、乾燥運転の運転時間設定値や、あらかじめ浴室内を暖めておく予備暖房の運転時間設定値のような設定内容を言いい、この情報を各種設定の情報と言う。
【００４９】
また、遠隔操作手段９Ａから浴室換気乾燥機６Ａの運転信号が入力され、マイクロコンピューター１０Ａがその運転信号の情報を受け、この運転信号に応じて必要なアクチュエーター、例えば乾燥運転の運転信号が入力された場合は、加熱装置１と循環用送風機２と換気用送風機４とダンパー駆動用モーター８が動作することになり、遠隔操作手段９Ａから停止信号または、運転状態切換信号が入力されるまでマイクロコンピューター１０Ａは内部のタイマーを使用して動作状態にあるアクチュエーターの運転時間を積算していく。そして積算時間が所定の時間、あるいはアクチュエーターを停止する信号が遠隔操作手段９Ａから入力されるまでの積算時間を商用電源が入力されている時間の積算と同様に各アクチュエーター毎に運転積算時間の情報として記憶装置装着部１３Ａに装着された記憶装置１２に情報を記憶するように信号を送り、記憶装置１２に各アクチュエーター毎の積算時間が記憶され、その後異なる運転信号（例えば換気運転等）により運転した場合、記憶装置１２に記憶されたアクチュエーター毎の運転積算時間の情報は、動作するアクチュエーターの運転積算時間を所定時間、あるいは停止する信号が入力されるまでの積算時間加算しアクチュエーター毎に更新を行うことになる。そして、マイクロコンピューター１０Ａは記憶装置１２に記憶された商用電源への通電積算時間および各アクチュエーター毎の運転積算時間とマイクロコンピューター１０Ａに予め記憶された点検時期の目安とする商用電源への通電積算時間および各アクチュエーター毎の運転積算時間に達すると遠隔操作手段９Ａに点検時期に到達したことおよび点検が必要はアクチュエーターを表す記号を表示し、点検を促す。
【００５０】
また、寿命ではないが制御装置１１Ａが不慮の故障により交換が必要となった場合、制御装置１１Ａを交換することになるが、他の浴室換気乾燥機６Ａ内の各アクチュエーターは交換されない。このため、交換後の制御装置１１Ａには交換前の制御装置１１Ａに搭載されていた記憶装置１２を交換後の制御装置１１Ａの記憶装置装着部１３Ａに装着する（載せ換える）ことでアクチュエーター毎の運転積算時間の情報や、設置場所に応じた各種設定の情報の引継ぎが行われ、交換時に遠隔操作手段９Ａから制御装置１１Ａの交換時期を入力することで制御装置１１Ａの通電積算時間が初期化される。同様に他のアクチュエーター、例えば加熱装置１を交換した場合、交換時に遠隔操作手段９Ａからマイクロコンピューター１０Ａを経由して記憶装置１２に記憶された加熱装置１の運転積算時間のみを初期化する。
【００５１】
なお、本実施例でのアクチュエーター毎の点検時間の目安としては、例えば循環用送風機２や換気用送風機４の場合、機械的寿命を有する部品として管理する軸受け部の寿命を目安としたり、制御装置１１Ａの場合、電気的に寿命を有する部品として管理するアルミ電解コンデンサーや、機械的寿命を有する部品として管理するリレーの寿命を目安として点検時期を決定することができる。
【００５２】
（実施の形態２）
図３に示すように、本発明の実施の形態２の浴室換気乾燥機は、記憶装置１２を遠隔操作手段９Ｂに装着するように記憶装置装着部１３Ｂを遠隔操作手段９Ｂに備えている。
【００５３】
すなわち、浴室換気乾燥機本体の各種情報を記憶する情報記憶装置としての記憶装置１２を遠隔操作手段９Ｂの制御装置に搭載したものである。各種情報とは、実施の形態１で説明した商用電源が入力されている時間を積算して通電積算時間とアクチュエーター毎の運転積算時間と。設置場所に応じた各種設定の情報を言う。
【００５４】
上記構成において、実施の形態１と同様に浴室換気乾燥機６Ｂに商用電源が入力されると、検知手段１４が電源入力を検知し、その情報をマイクロコンピューター１０Ｂに送り、マイクロコンピューター１０Ｂは内部のタイマーを使用して商用電源が入力されている時間を積算していく。そして、積算時間が所定の時間に達すると遠隔操作手段９Ｂとの通信を利用し、遠隔操作手段９Ｂの記憶装置装着部１３Ｂに装着された記憶装置１２に情報を記憶するように信号を送り、記憶装置１２に通電積算時間が記憶され、順次所定時間毎に情報を更新していくことになる。
【００５５】
また、浴室換気乾燥機６Ｂの通電後、設置場所に応じた各種設定を遠隔操作手段９Ｂを利用して行うが、設定した情報はマイクロコンピューター１０Ｂに記憶されるとともに遠隔操作手段９Ｂとの通信を利用して記憶装置１２に設定情報として記憶する。
【００５６】
また、各アクチュエーターの運転積算時間に関しても同様にマイクロコンピューター１０Ｂの内部タイマーを利用して積算を行い、所定の時間毎に遠隔操作手段９Ｂとの通信を利用し、記憶装置１２に情報を記憶し、予め記憶された点検時期の目安とする商用電源および各アクチュエーター毎の運転積算時間に達すると遠隔操作手段９Ｂに点検時期に到達したことおよび点検が必要はアクチュエーターを表す記号を表示し、点検を促す。
【００５７】
さらに、不慮の故障により制御装置１１Ｂの交換が必要となった場合でも、記憶装置１２は遠隔操作手段９Ｂに搭載されているため、情報引継ぎのための取り外し、取り付けを行う必要がない。
【産業上の利用可能性】
【００５８】
長期間設置、運転され電気的または機械的寿命を有する部品を使用し点検、部品交換が必要な電気機器へも利用も可能である。
【図面の簡単な説明】
【００５９】
【図１】本発明の実施の形態１の浴室換気乾燥機の構成を示す構成図
【図２】同上浴室換気乾燥機の構成を示す構成図
【図３】本発明の実施の形態２の浴室換気乾燥機の構成を示す構成図
【図４】従来例の浴室換気乾燥機の構成を示す構成図
【符号の説明】
【００６０】
１      加熱装置
２      循環用送風機
３      循環風路
４      換気用送風機
５      換気風路
６Ａ    浴室換気乾燥機
６Ｂ    浴室換気乾燥機
７      ダンパー
８      ダンパー駆動用モーター
９Ａ    遠隔操作手段
９Ｂ    遠隔操作手段
１０Ａ  マイクロコンピューター
１０Ｂ  マイクロコンピューター
１１Ａ  制御装置
１１Ｂ  制御装置
１２    記憶装置
１３Ａ  記憶装置装着部
１３Ｂ  記憶装置装着部
１４    検知手段
【図１】
2010223529.tif 000003
【図２】
2010223529.tif 000004
【図３】
2010223529.tif 000005
【図４】
2010223529.tif 000006